(57)【特許請求の範囲】
【請求項１】
外面部と内面部とを備えた扉体と、四周状の枠体とからなるドア装置であって、前記枠体と前記扉体の内面部の外周部とが対向する四周に弾性材が設けられており、前記弾性材は、前記扉体の内面外周部と当接する弾性部と、前記弾性部よりも柔軟性を有し前記扉体に当接もしくは近接する可撓部を有し、外部から前記枠体と前記扉体の隙間に浸入してくる水により前記可撓部が前記扉体へ圧接されることを特徴とするドア装置。
【請求項２】
前記可撓部は、前記弾性部と前記扉体の当接部を覆うように設けられていることを特徴とする請求項１に記載のドア装置。
【請求項３】
前記可撓部は、前記扉体が前記弾性部に当接して前記弾性材が変形するに伴って、前記扉体に当接もしくは近接することを特徴とする請求項１または請求項２に記載のドア装置。
【請求項４】
前記扉体は、第１扉体と第２扉体とからなり、閉鎖状態で対向する第１扉体と第２扉体のいずれか一方に前記弾性材を設け、外部から前記第１扉体と前記第２扉体の隙間に浸入してくる水により前記可撓部が他方の扉体へ圧接されることを特徴とする請求項１ないし請求項３のいずれか１項に記載のドア装置。
【請求項５】
枠体と扉体の内面部の外周部に対向する四周に設けられ前記扉体と当接する弾性材において、前記扉体の内面外周部と当接する弾性部と、前記弾性部よりも柔軟性を有し前記扉体に当接もしくは近接する可撓部を有し、外部から前記枠体と前記扉体の隙間に浸入してくる水により前記可撓部が前記扉体へ圧接されることを特徴とする弾性材。
【請求項６】
前記可撓部は、前記弾性部と前記扉体の当接部を覆うように設けられていることを特徴とする請求項５に記載の弾性材。
【請求項７】
前記可撓部は、前記扉体が前記弾性部に当接して生じる変形により、前記扉体に当接もしくは近接することを特徴とする請求項５または請求項６に記載の弾性材。
【発明の詳細な説明】
【技術分野】
【０００１】
本発明は、ビル、機械室、地下通路などの出入口や通路に設置され、豪雨や水害等の緊急時に出入口からの浸水を防ぐ開き扉状のドア装置と、そのようなドア装置に用いられる弾性材に関するものである。
【背景技術】
【０００２】
開き扉を構成するドア装置は、一般に、矩形状の扉体と、その扉体を蝶番などで支持する四周状の枠体とからなる。ドア装置の一つとして、気密性を有するものがある。図８は、従来の気密性を有するドア装置の一例の概略断面図である。図中、１は扉体、２は枠体、３は凹部、４は弾性材である。扉体１の外周部に対向する枠体２の部分には凹部３が設けられており、その凹部３に弾性材４がはめ込まれている。扉体１を閉めた場合、この弾性材４に扉体１の内面外周部が当接し、押圧する。これによって気密性を確保するとともに、遮音性や断熱効果なども得ている。
【０００３】
一方、近年は豪雨や水害などが多発しており、ドア装置にも水密性が要求されるようになってきている。上述の気密性を有するドア装置では、弾性材４は扉体１を閉めることで容易に変形する程度の弾性力を有しており、扉体１と枠体２の隙間に入り込む風圧程度で弾性材４と扉体１との当接状態が開放されることはない。しかし、扉体１と枠体２の隙間に水が浸入すると、その水圧によって弾性材４と扉体１との当接状態が開放され、内側に浸水してしまう。扉体１を弾性材４に強く圧接させ、水の浸入を低減することも考えられるが、通常の開閉に際して、扉体１を枠体２へ圧接させるための力が増すことになり、開閉しづらい状態となる。
【０００４】
水密性を有するドア装置も開発されている。例えば特許文献１に記載されている扉装置では、扉の内面外周部に設けられているエッジ部材と、枠に設けられているシール部材とを当接させ、さらに、引寄せハンドル装置を回動させてエッジ部材とシール部材とを圧接させて水密を得ている。従来より開発されている多くの水密性を有するドア装置では、このように扉体と枠体を圧接させることにより水密性を得ている。
【０００５】
しかし、このような水密性を有するドア装置では、扉体と枠体を圧接させるための特別な構成が必要であるとともに、圧接に要する力を加えなければならない。また、そのような圧接させる操作が必要なために、緊急時に間に合わない場合があった。また、圧接させる操作を行っていないと、気がつかない間にすでに水が浸入している場合も考えられる。さらに、圧接のためのハンドルを設けたり、圧接に耐える扉が必要であり、意匠性が悪いという問題もあった。
【０００６】
水密性を有する別のドア装置の例として、特許文献２に記載されているものがある。この例では、水密部材を２段に配し、端部に段差を有する扉体と２段の水密部材とを面接触させることにより水密を得ている。この構成では、それほど圧接させていないことから大きな力は不要であるものの、扉体及び枠体に多段の水密部材を配するスペースが必要であるとともに、それらを配するための特別な構造が必要であった。
【先行技術文献】
【特許文献】
【０００７】
【特許文献１】特開２００８−０３１７１０号公報
【特許文献２】特開２０１４−１０９１６９号公報
【発明の概要】
【発明が解決しようとする課題】
【０００８】
本発明は、上述した事情に鑑みてなされたもので、扉の開閉に特段の力を必要とせず、簡単な構成により水密性を向上させたドア装置と、そのようなドア装置と同等の水密性を有するドア装置を構成可能な弾性材を提供することを目的とするものである。
【課題を解決するための手段】
【０００９】
本願請求項１に記載の発明は、外面部と内面部とを備えた扉体と、四周状の枠体とからなるドア装置であって、前記枠体と前記扉体の内面部の外周部とが対向する四周に弾性材が設けられており、前記弾性材は、前記扉体の内面外周部と当接する弾性部と、前記弾性部よりも柔軟性を有し前記扉体に当接もしくは近接する可撓部を有し、外部から前記枠体と前記扉体の隙間に浸入してくる水により前記可撓部が前記扉体へ圧接されることを特徴とするドア装置である。
【００１０】
本願請求項２に記載の発明は、本願請求項１に記載の発明における前記可撓部が、前記弾性部と前記扉体の当接部を覆うように設けられていることを特徴とするドア装置である。
【００１１】
本願請求項３に記載の発明は、本願請求項１または請求項２に記載の発明における前記可撓部が、前記扉体が前記弾性部に当接して前記弾性材が変形するに伴って、前記扉体に当接もしくは近接することを特徴とするドア装置である。
【００１２】
本願請求項４に記載の発明は、本願請求項１ないし請求項３のいずれか１項に記載の発明における前記扉体が、第１扉体と第２扉体とからなり、閉鎖状態で対向する第１扉体と第２扉体のいずれか一方に前記弾性材を設け、外部から前記第１扉体と前記第２扉体の隙間に浸入してくる水により前記可撓部が他方の扉体へ圧接されることを特徴とするドア装置である。
【００１３】
本願請求項５に記載の発明は、枠体と扉体の内面部の外周部に対向する四周に設けられ前記扉体と当接する弾性材において、前記扉体の内面外周部と当接する弾性部と、前記弾性部よりも柔軟性を有し前記扉体に当接もしくは近接する可撓部を有し、外部から前記枠体と前記扉体の隙間に浸入してくる水により前記可撓部が前記扉体へ圧接されることを特徴とする弾性材である。
【００１４】
本願請求項６に記載の発明は、本願請求項５に記載の発明における前記可撓部が、前記弾性部と前記扉体の当接部を覆うように設けられていることを特徴とする弾性材である。
【００１５】
本願請求項７に記載の発明は、本願請求項５または請求項６に記載の発明における前記可撓部が、前記扉体が前記弾性部に当接して生じる変形により、前記扉体に当接もしくは近接することを特徴とする弾性材である。
【発明の効果】
【００１８】
本発明によれば、可撓部が扉体に当接あるいは近接しており、浸水の際にはその水によって可撓部が撓んで扉体に圧接され、止水する。従って、通常の状態では扉の開閉に特段の力を必要とせず、浸水の際には止水性能を発揮し、簡単な構成でありながら水密性を向上させることができるという効果がある。
【００１９】
また、弾性部と扉体の当接部を覆うように可撓部を設けることにより、弾性部では十分な止水効果が得られない構成であっても、可撓部により水密性を向上させることができる。
【００２０】
さらに、可撓部は、扉体と当接する弾性部よりも柔軟性を有しているとよく、浸水時の水により撓み、扉体の側面に良好に密着して止水することができる。
【００２１】
さらにまた、扉体が弾性部に当接して生じる変形により、可撓部が扉体の側面に当接あるいは近接する構成であると、扉体を閉めた際に可撓部が扉体に確実に当接あるいは近接し、浸水の際の止水性能を向上させることができる。
【００２２】
また、片開きのドア装置に限らず、両開きのドア装置にも対応することができる。
【００２３】
弾性部と可撓部を有する弾性材であれば、弾性部が設けられていた従来の弾性材に代えて本発明の弾性材を使用するだけで水密性を向上させることができるという効果もある。
【図面の簡単な説明】
【００２４】
【図１】本発明のドア装置の第１の実施の形態を示す正面図である。
【図２】本発明のドア装置の第１の実施の形態を示す正面図におけるＡ−Ａ’拡大断面図である。
【図３】弾性材の実施の一形態を示す断面図である。
【図４】本発明のドア装置の第１の実施の形態における扉体の開閉による弾性体の状態の一例の説明図である。
【図５】本発明のドア装置の第１の実施の形態において浸水の際の状態の一例の説明図である。
【図６】本発明のドア装置の第２の実施の形態を示す断面拡大図である。
【図７】本発明のドア装置の第３の実施の形態を示す断面拡大図である。
【図８】従来の気密性を有するドア装置の一例の概略断面図である。
【発明を実施するための形態】
【００２５】
図１は、本発明のドア装置の第１の実施の形態を示す正面図、図２は、Ａ−Ａ’拡大断面図、図３は、弾性材の実施の一形態を示す断面図である。図中、１１はドア装置、１２は扉体、１３は枠体、２１は扉体外面、２２は扉体内面、２３は扉体側面、３１は凹部、３２は弾性材、４１は弾性部、４２は可撓部、４３は底部、４４はエラ部である。図１に示した例は、片開きのドア装置の一例を示している。ドア装置１１は、矩形状の扉体１２と、その扉体１２を蝶番などで支持する四周状の枠体１３とからなる。枠体１３には、扉体内面２２の四周外周部に対向する部分に凹部３１が設けられており、その凹部３１に弾性材３２がはめ込まれ、弾性材３２が扉体内面２２の外周部に対向して設けられている。
【００２６】
弾性材３２の一例を、図３に断面を示している。弾性材３２には、弾性部４１、可撓部４２、底部４３、エラ部４４などが設けられている。弾性部４１は、扉体１２を閉めた際に、扉体内面２２の外周部と当接し、扉体１２によって押圧される。これによって気密性を確保するとともに、遮音性や断熱効果などが得られる。また、多少の防水効果も得られるが、水圧を受けた際の水密性は有していなくてよい。
【００２７】
可撓部４２は、可撓性を有しており、弾性材３２よりも柔軟性を有するとよい。扉体１２を閉めた際に、この可撓部４２が扉体側面２３に当接あるいは近接して、弾性部４１と扉体１２との当接部を覆うように設けられている。この可撓部４２は、外部から枠体１３と扉体１２の隙間に水が浸入してくると、その水の圧力により扉体側面２３へ圧接される。この圧接により止水し、内部への浸水を防ぐ。
【００２８】
なお、可撓部４２の先端部は扉体１２を閉めた際の扉体側面２３の位置から離れた位置にあり、扉体１２が弾性部４１に当接して弾性材３２が変形するに伴って、可撓部４２が扉体側面２３に近接し、あるいはさらに当接する。この場合、扉体１２を閉める際に可撓部４２が巻き込まれることがない。また、可撓部４２が扉体側面２３に当接する場合でも、扉体１２を閉める際の力が増加することはない。
【００２９】
底部４３は、扉体１２に設けられている凹部３１に弾性材３２がはめ込まれる際に、凹部３１の底面側と対向するようにはめ込まれる。この底部４３が凹部３１の底面と当接あるいは弾性材３２の弾性力により圧接されているとよい。もちろん、底部４３と凹部３１の底面とが接着されていてもよい。また、この底部４３により、弾性部４１の高さを調節することができる。
【００３０】
エラ部４４は、弾性材３２を枠体１３の凹部３１にはめ込んだ際に、凹部３１の側面に当接し、その弾性力により弾性材３２が凹部３１から抜け出しにくくしている。また、枠体１３の凹部３１から回り込んで浸入しようとする水を底部４３とともに防いでいる。このエラ部４４が不要であれば、設けずに構成してもよい。
【００３１】
図４は、本発明のドア装置の第１の実施の形態における扉体の開閉による弾性体の状態の一例の説明図である。図４（Ａ）には扉体１２が開いた状態を、図４（Ｂ）には扉体１２を閉じた状態を、それぞれ示している。図４（Ａ）に示す扉体１２が開いた状態から扉体１２を閉めようとすると、扉体内面２２の外周部が、枠体１３に設けられている弾性材３２の弾性部４１に当接して弾性材３２を押圧し、図４（Ｂ）に示すように扉体１２は閉じた状態となる。
【００３２】
扉体１２が弾性材３２を押圧することにより、弾性材３２が変形する。この弾性材３２の変形によって、可撓部４２は扉体１２側に傾き、この例では可撓部４２は扉体側面２３に当接する。可撓部４２が扉体側面２３に当接する構成であることから、扉体１２を閉める際に要する力は、従来の気密性を有するドア装置などと同等程度であり、従来の水密性を有するドア装置のような強い加圧力は不要である。またこの構成では、扉体１２を閉めることにより、可撓部４２を確実に扉体側面２３に当接させることができる。さらに、扉体１２を閉める際に可撓部４２が扉体側面２３に巻き込まれてしまうこともない。
【００３３】
図５は、本発明のドア装置の第１の実施の形態において浸水の際の状態の一例の説明図である。扉体１２を閉じた状態で浸水すると、扉体１２と枠体１３の隙間に水が浸入してくる。浸入してきた水は、可撓部４２を押す。このとき、可撓部４２が扉体側面２３に当接していることから、可撓部４２と扉体側面２３との間に水が浸入するよりも、可撓部４２と枠体１３の間に水が浸入してくることになる。
【００３４】
そして、浸入してきた水の圧力により可撓部４２が扉体側面２３に押圧される。可撓部４２は弾性部４１よりも柔軟性を有しており、浸水の際の水による押圧力により、可撓部４２が扉体側面２３側に撓んで、可撓部４２と扉体側面２３は密着する。また、扉体側面２３と可撓部４２の隙間に水が浸入した場合でも、浸入した水の引圧力により可撓部４２が扉体側面２３側に撓み、可撓部４２と扉体側面２３は密着することになる。これにより、水密性が得られて止水することができる。さらに、水圧が高いほど、可撓部４２と扉体側面２３との密着度が増して、水密性が向上することになる。従って、従来の水密性を有するドア装置のように予め扉体側面２３を止水ゴムなどに強く圧接しておく必要はない。
【００３５】
枠体１３と可撓部４２との間に浸入しようとする水は、エラ部４４や底部４３によっても阻止されており、水が内部に侵入しにくい構成である。このようにして、この本発明の第１の実施の形態では、弾性材３２に可撓部４２を設けるという簡単な構成によって止水性能を発揮し、水密性が得られることになる。
【００３６】
例えば、図８に示した気密性を有するドア装置の弾性材として、図３で本発明の弾性材の実施の一形態として示した弾性材３２を使用し、あるいは取り替えることによって、水密性を向上させることができる。
【００３７】
図４に示した例では、扉体１２を閉めることにより弾性材３２の可撓部４２が扉体側面２３に当接する構成について示しているが、扉体１２を閉じた状態で可撓部４２が扉体側面２３に近接している構成であってもよい。この場合、扉体側面２３と可撓部４２の隙間に水が浸入してくるが、浸入した水は可撓部４２を弾性部４１側へ引っ張り、この引圧力と、浸入してくる水によって可撓部４２にかかる押圧力によって、可撓部４２が扉体側面２３側に撓み、可撓部４２と扉体側面２３が当接し、さらに扉体側面２３に圧接して密着することになる。このようにして、扉体１２を閉じた状態で可撓部４２が扉体側面２３に近接している構成であっても、図５に示すように、浸入してきた水により可撓部４２は扉体側面２３に圧接されて、可撓部４２と扉体側面２３とが密着し、水密性が得られて止水することができる。
【００３８】
なお、弾性材３２は図３に示した形状に限られるものではなく、上述の機能を有する範囲で適宜変形してよいことは言うまでもない。
【００３９】
図６は、本発明のドア装置の第２の実施の形態を示す断面拡大図である。図中、第１の実施の形態と同様の部分には同じ符号を付して説明を省略する。１４は第１扉体、１５は第２扉体、３３は弾性材、５１は扉受け部である。この第２の実施の形態では、両開きのドア装置の場合を示している。この第２の実施の形態におけるドア装置１１は、矩形状の第１扉体１４及び第２扉体１５と、その第１扉体１４、第２扉体１５を蝶番などで支持する四周状の枠体１３とからなる。
【００４０】
第１の実施の形態における片開きのドア装置の場合と同様に、枠体１３には、第１扉体１４及び第２扉体１５の内面の外周部と対向する部分に凹部３１が設けられており、その凹部３１に弾性材３２がはめ込まれ、弾性材３２が第１扉体１４及び第２扉体の内面外周部に対向して設けられている。弾性材３２は、第１の実施の形態で説明したものである。枠体１３と第１扉体１４との間、枠体１３と第２扉体１５との間の水密性については、第１の実施の形態で説明したとおりであるので、ここでは説明を省略する。
【００４１】
両開きのドア装置では、さらに、第１扉体１４と第２扉体１５の合わせ部にも弾性材３２が設けられる。この例では、第１扉体１４の側に扉受け部５１を設け、この扉受け部５１に弾性材３３を設けている。この弾性材３３も、枠体１３に設ける弾性材３２と同等のものを使用すればよい。
【００４２】
弾性材３３は、第１扉体１４を閉め、さらに第２扉体１５を閉めた際に、第２扉体１５の内面に当接し、第２扉体１５によって押圧される。第２扉体１５を閉める前は、可撓部４２の先端部は第２扉体１５を閉めた際の第２扉体１５の側面の位置から離れた位置にあるが、第２扉体１５を閉めて第２扉体１５が弾性材３３を押圧することによって弾性材３３は変形し、弾性材３３の可撓部４２が第２扉体１５の側面に当接あるいは近接して、弾性部４１と第２扉体１５の当接部を覆うように設けられる。このような構成であると、第２扉体１５を閉める際に可撓部４２が巻き込まれることがなく、また、可撓部４２が第２扉体１５の側面に当接する場合でも第２扉体１５を閉める際の力が増加することはない。
【００４３】
外部から水が浸入してくると、第１扉体１４と枠体１３の間、及び、第２扉体１５と枠体１３の間に浸入している水に対しては、上述した第１の実施の形態で説明したようにして、枠体１３に設けられている弾性材３２の可撓部４２が水の圧力によって第１扉体１４の側面及び第２扉体１５の側面に圧接され、止水する。また、第１扉体１４と第２扉体１５の隙間に外部から水が浸入してくると、第１扉体１４に設けた弾性材３３の可撓部４２が、水の圧力によって第２扉体１５の側面へ圧接される。この圧接により止水し、第１扉体１４と第２扉体１５の隙間から内部への浸水も防がれる。
【００４４】
このようにして、両開きのドア装置においても、外部からの浸水を防ぐことができる。
【００４５】
図７は、本発明のドア装置の第３の実施の形態を示す断面拡大図である。上述の各実施の形態では、弾性材３２，３３の可撓部４２が扉体１２や第１扉体１４、第２扉体１５の側面に当接あるいは近接する例を示した。本発明はこれに限られるものではない。この第３の実施の形態では、可撓部４２が扉体１２や第１扉体１４、第２扉体１５の内面に当接あるいは近接する例を示している。図７には一例として、片開きのドア装置における例を示しており、図７（Ａ）は扉体１２を開いた状態を、図７（Ｂ）は扉体１２を閉じた状態を、それぞれ示している。なお、第１の実施の形態と同様の部分については説明を省略することがある。
【００４６】
この第３の実施の形態においても、扉体内面２２の四周外周部に対向する枠体１３の部分には凹部３１が設けられており、その凹部３１に弾性材３２がはめ込まれ、弾性材３２が扉体内面２２の外周部に対向して設けられている。
【００４７】
この第３の実施の形態における弾性材３２の可撓部４２は、扉体１２を閉めた際に扉体内面２２に当接あるいは近接して、弾性部４１と扉体１２との当接部を覆うように設けられている。可撓部４２の先端は、扉体１２の外周部へ向いている。この可撓部４２は可撓性を有しており、弾性材３２よりも柔軟性を有するとよい。
【００４８】
扉体１２を閉めると、扉体内面２２の外周部が、枠体１３に設けられている弾性材３２の弾性部４１に当接して弾性材３２を押圧するとともに、可撓部４２が扉体内面２２に当接する。第１の実施の形態で説明したように、弾性部４１の変形により可撓部４２が扉体内面２２に近づき、当接する構成でもよいし、予め可撓部４２の先端位置を調節しておけば弾性部４１の変形にかかわらず、可撓部４２を扉体内面２２に近接させ、あるいはさらに当接させることができる。可撓部４２は弾性部４１よりも柔軟性を有していれば、可撓部４２が扉体内面２２に当接する場合でも、扉体１２を閉める際に要する力はほとんど変わらない。また、可撓部４２を扉体内面２２に当接あるいは近接させる構成では、扉体１５を閉めることによる可撓部４２の巻き込みは発生しない。
【００４９】
扉体１２を閉じた状態で浸水し、扉体１２と枠体１３の隙間に水が浸入してくると、可撓部４２は可撓性を有していることから、浸水時の水による押圧力により、可撓部４２が扉体内面２２側に撓んで、可撓部４２と扉体内面２２は密着する。また、可撓部４２と扉体内面２２の間に水が浸入した場合でも、浸入した水による引圧力により可撓部４２は扉体内面２２側へ撓み、可撓部４２と扉体内面２２は密着する。このようにして、可撓部４２と扉体内面２２とが密着して水密性が得られ、内部への浸水を防ぐことができる。さらに、水圧が高いほど、可撓部４２と扉体内面２２との密着度が増して、水密性が向上することになる。このように、この第３の実施の形態でも、簡単な構成により高い水密性を有するドア装置を提供することができる。
【００５０】
図７に示した例では、扉体１２を閉めることにより弾性材３２の可撓部４２が扉体内面２２に当接する構成について示しているが、扉体１２を閉じた状態で可撓部４２が扉体内面２２に近接している構成であってもよい。この場合も、浸入してきた水の押圧力及び引圧力により、可撓部４２は扉体内面２２に当接し、さらに圧接されて可撓部４２と扉体側面２３とが密着し、水密性が得られて止水することができる。
【００５１】
また、図７では片開きのドア装置について例示したが、第２の実施の形態で示した両開きのドア装置に対しても適用可能である。その場合には、第１扉体１４の扉受け部５１に設けた弾性材３３の可撓部４２を、第２扉体１５の内面に当接あるいは近接させればよい。これによって、枠体１３と第１扉体１４及び第２扉体１５との間とともに、第１扉体１４と第２扉体１５の間からの浸水についても防ぐことができ、全体として外部からの浸水を防ぐことができる。
【符号の説明】
【００５２】
１…扉体、２…枠体、３…凹部、４…弾性材、１１…ドア装置、１２…扉体、１３…枠体、１４…第１扉体、１５…第２扉体、２１…扉体外面、２２…扉体内面、２３…扉体側面、３１…凹部、３２，３３…弾性材、４１…弾性部、４２…可撓部、４３…底部、４４…エラ部、５１…扉受け部。
【図１】
0006473600.tif 000002
【図２】
0006473600.tif 000003
【図３】
0006473600.tif 000004
【図４】
0006473600.tif 000005
【図５】
0006473600.tif 000006
【図６】
0006473600.tif 000007
【図７】
0006473600.tif 000008
【図８】
0006473600.tif 000009